(57)【要約】【課題】通信端末の使用とコンテンツに関する処理を連携させる。【解決手段】通信端末におけるアプリケーションの使用を検出する検出部と、前記検出部による検出結果に応じて、前記通信端末と関連付けられたコンテンツ出力装置で出力されているコンテンツに関する記録処理を制御する制御部と、を備える制御装置。【選択図】図５
2013145936.tif 000002
【特許請求の範囲】
【請求項１】
通信端末におけるアプリケーションの使用を検出する検出部と、
前記検出部による検出結果に応じて、前記通信端末と関連付けられたコンテンツ出力装置で出力されているコンテンツに関する記録処理を制御する制御部と、
を備える、制御装置。
【請求項２】
前記コンテンツに関する記録処理は、前記検出部により前記アプリケーションの使用が検出されたタイミングに応じてタイミングデータを前記コンテンツに対応付ける処理を含む、請求項１に記載の制御装置。
【請求項３】
前記コンテンツに関する記録処理は、前記コンテンツの記録処理を含む、請求項１に記載の制御装置。
【請求項４】
前記検出部は、受信処理に応じた前記アプリケーションの使用を検出する、請求項１に記載の制御装置。
【請求項５】
前記検出部は、送信処理のための前記アプリケーションの使用を検出する、請求項１に記載の制御装置。
【請求項６】
前記アプリケーションは、音声通信アプリケーションを含む、請求項１に記載の制御装置。
【請求項７】
前記アプリケーションは、ブラウジングアプリケーションを含む、請求項１に記載の制御装置。
【請求項８】
前記制御部は、前記コンテンツに関する処理が実行された場合、前記コンテンツに関する処理の実行を示す通知を前記通信端末に表示させる、請求項１に記載の制御装置。
【請求項９】
前記制御部は、前記通知に基づくユーザの操作入力に応じて、前記コンテンツに関する記録処理を制御する、請求項８に記載の制御装置。
【請求項１０】
前記制御部は、前記検出部により前記アプリケーションの使用が検出された場合、前記アプリケーションの使用内容が前記コンテンツと関連性を有するか否かに応じて前記コンテンツに関する記録処理を制御する、請求項１に記載の制御装置。
【請求項１１】
前記制御部は、前記検出部により検出された前記アプリケーションについて、以前に当該アプリケーションの使用に基づいて記録処理が行われたコンテンツの再生頻度が閾値を上回る場合に前記コンテンツに関する記録処理を制御する、請求項１に記載の制御装置。
【請求項１２】
前記制御部は、所定時間以上に渡る前記アプリケーションの使用が前記検出部により検出されたか否かに応じて前記コンテンツに関する記録処理を制御する、請求項１に記載の制御装置。
【請求項１３】
前記コンテンツに関する記録処理は、前記検出部により検出された前記アプリケーションの使用内容を示す使用ログを前記コンテンツに対応付ける処理を含む、請求項１に記載の制御装置。
【請求項１４】
前記制御部は、前記通信端末における前記アプリケーションの使用終了後、前記コンテンツ出力装置を使用する前記通信端末のユーザと異なる他のユーザの有無に基づき、前記通信端末または前記コンテンツ出力装置における前記コンテンツの再生を制御する、請求項１に記載の制御装置。
【請求項１５】
前記制御部は、前記検出部により得られる前記他のユーザの通信端末における前記アプリケーションの使用の検出結果に基づいて前記コンテンツ出力装置を使用する他のユーザの有無を判定する、請求項１４に記載の制御装置。
【請求項１６】
前記制御部は、前記通信端末における前記アプリケーションの使用終了後、前記コンテンツ出力装置を使用する前記他のユーザの有無に基づき、前記コンテンツの再生確認画面を前記通信端末または前記コンテンツ出力装置に表示させる、請求項１４に記載の制御装置。
【請求項１７】
前記制御部は、前記コンテンツ出力装置の視聴可能範囲の撮像画像から検出されるユーザの通信端末に関連付けられたコンテンツ出力装置を抽出し、前記検出部により検出された当該ユーザの通信端末における前記アプリケーションの使用に応じ、抽出されたコンテンツ出力装置で出力されているコンテンツに関する記録処理を制御する、請求項１に記載の制御装置。
【請求項１８】
通信端末におけるアプリケーションの使用を検出することと、
前記アプリケーションの使用の検出結果に応じて、前記通信端末と関連付けられたコンテンツ出力装置で出力されているコンテンツに関する記録処理を制御することと、
を含む、制御方法。
【請求項１９】
コンピュータを、
通信端末におけるアプリケーションの使用を検出する検出部と、
前記検出部による検出結果に応じて、前記通信端末と関連付けられたコンテンツ出力装置で出力されているコンテンツに関する処理を記録制御する制御部と、
として機能させるための、プログラム。
【請求項２０】
通信端末と、
前記通信端末と関連付けられたコンテンツ出力装置と、
前記通信端末におけるアプリケーションの使用を検出する検出部、および、
前記検出部による検出結果に応じて、前記コンテンツ出力装置で出力されているコンテンツに関する記録処理を制御する制御部、を有する制御装置と、
を備える、制御システム。
【発明の詳細な説明】
【技術分野】
【０００１】
本開示は、制御装置、制御方法、プログラムおよび制御システムに関する。
【背景技術】
【０００２】
近日、複数の家庭内機器を連携させるホームネットワークが注目されている。ホームネットワークによれば、例えば、ＰＣ（Ｐｅｒｓｏｎａｌ  Ｃｏｍｐｕｔｅｒ）や携帯端末に記憶されているコンテンツを、ＰＣや携帯端末と離れた場所に設置された表示装置で視聴することが可能となる。【０００３】
また、特許文献１には、第１の表示装置でコンテンツを視聴していたユーザが他の部屋に移動した事が検知された場合、第１の表示装置でコンテンツの続きを移動先の部屋にある第２の表示装置に自動的に表示させる制御システムが開示されている。
【先行技術文献】
【特許文献】
【０００４】
【特許文献１】特開２０１１−１１４５９１号公報
【発明の概要】
【発明が解決しようとする課題】
【０００５】
ところで、ユーザが表示装置に表示されているコンテンツを視聴している時に、ユーザの注意が他の装置に向けられる場合がある。例えば、ユーザの注意は、音声通信機能やブラウジング機能を備える通信端末の使用により、表示装置から通信端末へ移る場合がある。しかし、ユーザの注意が表示装置から通信端末へ移ると、ユーザは、通信端末の使用中に表示装置に表示されたコンテンツを見逃してしまう。【０００６】
そこで、本開示では、通信端末の使用とコンテンツに関する処理を連携させるための、新規かつ改良された制御装置、制御方法、プログラムおよび制御システムを提案する。
【課題を解決するための手段】
【０００７】
本開示によれば、通信端末におけるアプリケーションの使用を検出する検出部と、前記検出部による検出結果に応じて、前記通信端末と関連付けられたコンテンツ出力装置で出力されているコンテンツに関する記録処理を制御する制御部と、を備える、制御装置が提供される。【０００８】
また、本開示によれば、通信端末におけるアプリケーションの使用を検出することと、前記検出部による検出結果に応じて、前記通信端末と関連付けられたコンテンツ出力装置で出力されているコンテンツに関する記録処理を制御することと、を含む、制御方法が提供される。【０００９】
また、本開示によれば、コンピュータを、通信端末におけるアプリケーションの使用を検出する検出部と、前記検出部による検出結果に応じて、前記通信端末と関連付けられたコンテンツ出力装置で出力されているコンテンツに関する処理を記録制御する制御部と、として機能させるための、プログラムが提供される。【００１０】
また、本開示によれば、通信端末と、前記通信端末と関連付けられたコンテンツ出力装置と、前記通信端末におけるアプリケーションの使用を検出する検出部、および、前記検出部による検出結果に応じて、前記コンテンツ出力装置で出力されているコンテンツに関する記録処理を制御する制御部、を有する制御装置と、を備える、制御システムが提供される。
【発明の効果】
【００１１】
以上説明したように本開示によれば、通信端末の使用とコンテンツに関する処理を連携させることができる。
【図面の簡単な説明】
【００１２】
【図１】第１の実施形態による制御システムの構成を示した説明図である。
【図２】通信端末と表示装置の対応関係の具体例を示した説明図である。
【図３】第１の実施形態による記録装置の構成を示した機能ブロック図である。
【図４】アプリケーションの使用内容ごとの再生頻度の具体例を示した説明図である。
【図５】第１の実施形態による制御装置の構成を示した機能ブロック図である。
【図６】記録処理の第１の制御例を示したフローチャートである。
【図７】使用ログの具体例を示した説明図である。
【図８】使用ログの表示態様の一例を示した説明図である。
【図９】ユーザへの通知画面の具体例を示した説明図である。
【図１０】記録処理の第２の制御例を示したフローチャートである。
【図１１】再生処理の制御動作を示したフローチャートである。
【図１２】第２の実施形態による制御システムを示した説明図である。
【図１３】第２の実施形態による制御サーバの構成を示した機能ブロック図である。
【図１４】第２の実施形態による使用ログの具体例を示した説明図である。
【図１５】ユーザへの通知画面の具体例を示した説明図である。
【図１６】第２の実施形態による制御システムの動作を示した説明図である。
【図１７】変形例を示した説明図である。
【図１８】コンテンツに関する情報の具体例を示した説明図である。
【図１９】時間短縮再生の動作例を示した説明図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて通信端末３０Ａおよび３０Ｂのように区別する。ただし、実質的に同一の機能構成を有する複数の構成要素の各々を特に区別する必要がない場合、同一符号のみを付する。例えば、通信端末３０Ａおよび３０Ｂを特に区別する必要が無い場合には、単に通信端末３０と称する。
【００１５】
また、以下に示す項目順序に従って本開示を説明する。
１．第１の実施形態
１−１．第１の実施形態の概要
１−２．記録装置の構成
１−３．制御装置の構成
１−４．記録処理の制御動作
１−５．再生処理の制御動作
２．第２の実施形態
２−１．第２の実施形態の概要
２−２．制御サーバの構成
２−３．制御システムの動作
３．むすび
【００１６】
＜＜１．第１の実施形態＞＞
＜１−１．第１の実施形態の概要＞
本開示の第１の実施形態による制御システムは、
Ａ．通信端末の受信処理に応じたアプリケーションの使用を検出する検出部（使用検出部１３６）と、
Ｂ．前記検出部による検出結果に応じて、前記通信端末と関連付けられたコンテンツ出力装置で出力されているコンテンツに関する記録処理を制御する制御部（記録制御部１４８）と、
を備える、制御装置１０を含む。
【００１７】
本開示の第１の実施形態による制御システムは、上記の制御装置１０による制御に基づき、通信端末の使用とコンテンツに関する処理を連携させることが可能である。以下、図面を参照し、このような本開示の第１の実施形態の概要を説明する。
【００１８】
（制御システムの構成）
図１は、第１の実施形態による制御システムの構成を示した説明図である。図１に示したように、第１の実施形態による制御システムは、制御装置１０と、記録装置２０と、通信端末３０Ａおよび３０Ｂと、表示装置４０と、を備える。
【００１９】
通信端末３０は、１または２以上のアプリケーションを有し、アプリケーションに応じた通信を行う。ここで、アプリケーションは、制御システムに含まれない外部装置との通信を伴うものであり、記録装置２０に対して記録処理を指示するためのアプリケーションとは異なる。例えば、通信端末３０は、電話アプリケーション（音声通信アプリケーション）を有してもよい。この場合、通信端末３０は、電話アプリケーションの使用により、通信端末３０からの発信または他の通信端末からの着信に応じて他の通信端末との接続を確立し、他の通信端末との間で音声を送受信する。
【００２０】
また、通信端末３０は、電子メールアプリケーションを有してもよい。この場合、通信端末３０は、この電子メールアプリケーションの使用により、ユーザにより指定された宛先にユーザにより入力されたテキストデータを電子メールとして送信する。また、電子メールアプリケーションは、受信した電子メールの確認画面を表示する。
【００２１】
また、通信端末３０は、ブラウジングアプリケーションを有してもよい。この場合、通信端末３０は、このブラウジングアプリケーションの使用により、ユーザにより指定されたＷｅｂページの取得および表示を実現する。
【００２２】
なお、通信端末３０は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、またはＷＡＮ（Ｗｉｄｅ  Ａｒｅａ  Ｎｅｔｗｏｒｋ）などの伝送路を介して通信を行うことが可能である。また、図１には通信端末３０として携帯電話を示しているが、通信端末３０は携帯電話に限定されない。例えば、通信端末３０は、スマートフォン、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、携帯用ゲーム機器などの情報処理装置であってもよい。
【００２３】
記録装置２０は、コンテンツの記録機能を有する装置である。例えば、記録装置２０は、テレビジョン放送されるコンテンツを取得し、取得したコンテンツを記憶媒体に記録してもよい。なお、テレビジョン放送は、ＢＳ（Ｂｒｏａｄｃａｓｔ  Ｓａｔｅｌｌｉｔｅ）放送、ＣＳ（ｃｏｍｍｕｎｉｃａｔｉｏｎｓ  ｓａｔｅｌｌｉｔｅ）放送、地上波デジタル放送、地上波アナログ放送、またはケーブル放送などであってよい。
【００２４】
表示装置４０は、映像や音声を含むコンテンツを出力するコンテンツ出力装置の一例であり、コンテンツの映像表示、およびコンテンツの音声出力などを行う。また、表示装置４０は、表示装置４０を視聴可能な範囲を撮像する撮像部４２を有する。この撮像部４２により得られた撮像画像、あるいは撮像画像の解析結果は、表示装置４０と通信端末３０との関連付けのために制御装置１０に送信される。
【００２５】
制御装置１０は、通信端末３０と表示装置４０の関連付けを行い、通信端末３０から得られる情報に基づいて、コンテンツに関する記録処理、および再生処理を制御する。以下、通信端末３０と表示装置４０の関連付け、記録処理の制御、および再生処理の制御について簡単に説明する。なお、図１においては制御装置１０を表示装置４０や記録装置２０などと別個の装置として示しているが、表示装置４０や記録装置２０などの他の装置に制御装置１０の機能の一部または全てを実装することも可能である。
【００２６】
（通信端末と表示装置の関連付け）
制御装置１０は、表示装置４０と、表示装置４０で出力されているコンテンツを視聴しているユーザの通信端末３０とを関連付ける。この関連付けの手法は特に限定されない。一例として、制御装置１０は、表示装置４０の撮像部４２により得られた撮像画像に含まれるユーザを画像認識により特定し、特定したユーザの機器として事前に登録されている通信端末３０を表示装置４０と関連付けてもよい。
【００２７】
当該手法によれば、表示装置４０の前に通信端末３０Ａを有するユーザＡ、および通信端末３０Ｂを有するユーザＢが存在する場合、図２に示すように、ユーザＡのＩＤ、通信端末３０ＡのＩＤ（ｍｏｂｉｌｅ  ｐｈｏｎｅ  Ａ）、および表示装置４０のＩＤ（ＴＶ  Ａ）が関連付けられ、ユーザＢのＩＤ、通信端末３０ＢのＩＤ（ｍｏｂｉｌｅ  ｐｈｏｎｅ  Ｂ）、および表示装置４０のＩＤ（ＴＶ  Ａ）を関連付けられる。
【００２８】
なお、制御装置１０は、他の手法を用いて通信端末３０と表示装置４０の関連付けを行うことも可能である。例えば、制御装置１０は、通信端末３０の位置情報を取得し、通信端末３０との距離が所定値以下である表示装置４０を通信端末３０と関連付けてもよい。あるいは、通信端末３０と表示装置４０の関連付けはユーザにより事前に設定されていてもよい。
【００２９】
（記録処理の制御）
表示装置４０がコンテンツを出力している間、ユーザの注意が表示装置４０から逸れて、ユーザがコンテンツを見逃してしまう場合があり得る。例えば、ユーザが通信端末３０への着信に応じて電話アプリケーションを使用すると、ユーザは電話中に出力されたコンテンツを見逃してしまう場合がある。
【００３０】
このような観点から、制御装置１０は、表示装置４０に関連付けられた通信端末３０のアプリケーションの使用に基づき、表示装置４０が出力するコンテンツの録画を記録装置２０に指示する。かかる構成により、ユーザが見逃している可能性のあるコンテンツを自動的に録画することができるので、ユーザは、事後的にコンテンツの見逃した部分を視聴することが可能となる。なお、この記録処理の詳細については、「１−３．制御装置の構成」および「１−４．記録処理の制御動作」において詳細に説明する。
【００３１】
（再生処理の制御）
制御装置１０は、ユーザの注意が表示装置４０から逸れて上記の記録処理が開始された後、ユーザの注意が表示装置４０に戻った場合、例えば、アプリケーションの使用が終了した場合、記録処理において録画したコンテンツの追いかけ再生を記録装置２０に指示する。
【００３２】
ただし、表示装置４０でコンテンツを視聴する別のユーザが存在する場合、表示装置４０で追いかけ再生を開始すると別のユーザの視聴が妨げられる。このため、本実施形態による制御装置１０は、表示装置４０でコンテンツを視聴する別のユーザが存在するか否かに応じ、コンテンツを表示装置４０またはユーザの通信端末３０のいずれに出力させるかを決定する。なお、この再生処理の詳細については、「１−３．制御装置の構成」および「１−５．再生処理の制御動作」において詳細に説明する。
【００３３】
＜１−２．記録装置の構成＞
以上、第１の実施形態による制御システムの概要を説明した。続いて、第１の実施形態による制御システムに含まれる記録装置２０の構成を説明する。
【００３４】
図３は、第１の実施形態による記録装置２０の構成を示した機能ブロック図である。図３に示したように、第１の実施形態による記録装置２０は、コンテンツ取得部２２０と、通信部２２４と、記録部２２８と、コンテンツ記憶部２３２と、再生部２３６と、再生頻度算出部２４０と、再生頻度記憶部２４４と、を備える。
【００３５】
（コンテンツ取得部）
コンテンツ取得部２２０は、コンテンツ記憶部２３２に記録するためのコンテンツを取得する。このコンテンツ取得部２２０は、例えば放送受信アンテナと接続されたチューナーであり、テレビジョン放送されたコンテンツを取得する。また、コンテンツ取得部２２０は、インターネットのような通信網を介して送信されるコンテンツを取得してもよい。
【００３６】
（通信部）
通信部２２４は、制御システムを構成する他の装置とのインタフェースである。例えば、通信部２２４は、コンテンツの録画指示やコンテンツの再生指示を制御装置１０から受信する受信部、および、後述の再生頻度を示す情報や、再生されたコンテンツなどを送信する送信部として機能する。
【００３７】
（記録部）
記録部２２８は、コンテンツ取得部２２０により取得されたコンテンツをコンテンツ記憶部２３２に記録する。具体的に説明すると、記録部２２８は、通信部２２４により制御装置１０からコンテンツの録画指示が受信されると、指定されたコンテンツをコンテンツ記憶部２３２に記録する。例えば、制御装置１０からチャンネルを示す情報を通信部２２４が受信すると、記録部２２８は、コンテンツ取得部２２０により当該チャンネルで取得されるコンテンツをコンテンツ記憶部２３２に記録する。
【００３８】
ここで、通信部２２４は、コンテンツの録画指示として、コンテンツを示す情報に加え、ユーザＩＤおよび通信端末３０の使用内容を示す使用ログを制御装置１０から受信する。より詳細に説明すると、通信端末３０の使用ログは、当該録画指示のトリガとなったアプリケーションの使用内容（電話アプリケーションの使用、電子メールアプリケーションの使用）を示す。記録部２２８は、コンテンツに加え、このような通信端末３０の使用ログをユーザＩＤと関連付けてコンテンツ記憶部２３２に記録する。
【００３９】
（コンテンツ記憶部）
コンテンツ記憶部２３２は、コンテンツ、ユーザＩＤ、および通信端末３０の使用内容を示す情報を関連付けて記憶する。このようなコンテンツ記憶部２３２は、不揮発性メモリ、磁気ディスク、光ディスク、およびＭＯ（Ｍａｇｎｅｔｏ  Ｏｐｔｉｃａｌ）ディスクなどの記憶媒体であってもよい。不揮発性メモリとしては、例えば、フラッシュメモリ、ＳＤカード、マイクロＳＤカード、ＵＳＢメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）があげられる。また、磁気ディスクとしては、ハードディスクおよび円盤型磁性体ディスクなどがあげられる。また、光ディスクとしては、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）およびＢＤ（Ｂｌｕ−Ｒａｙ  Ｄｉｓｃ（登録商標））などがあげられる。
【００４０】
なお、図３においてはコンテンツ記憶部２３２と再生頻度記憶部２４４を別の機能ブロックで示しているが、コンテンツ記憶部２３２と再生頻度記憶部２４４の機能は同一の記憶媒体により実現されてもよい。
【００４１】
（再生部）
再生部２３６は、コンテンツ記憶部２３２に記憶されているコンテンツを読み出し、読み出したコンテンツを再生する。具体的に説明すると、再生部２３６は、通信部２２４により制御装置１０からコンテンツの再生指示が受信されると、指定のコンテンツをコンテンツ記憶部２３２から読み出して再生する。再生部２３６により再生されたコンテンツは、通信部２２４から制御システムを構成する他の装置に送信される。例えば、再生部２３６により再生されたコンテンツは、通信部２２４から制御装置１０に送信され、その後に表示装置４０または通信端末３０に送信されてもよいし、直接的に表示装置４０または通信端末３０に送信されてもよい。なお、本明細書において、読み出し、デコード、Ｄ／Ａ変換、および出力のうちの少なくともいずれかを含む処理を再生と称する場合がある。
【００４２】
（再生頻度算出部）
再生頻度算出部２４０は、コンテンツ記憶部２３２に記録されたコンテンツの事後的な再生頻度を、コンテンツ記録のトリガとなったアプリケーションの使用内容ごとに算出する。すなわち、再生頻度算出部２４０は、電子メールアプリケーションの使用をトリガに記録されたコンテンツの再生頻度、電話アプリケーションの使用をトリガに記録されたコンテンツの再生頻度、およびブラウジングアプリケーションの使用をトリガに記録されたコンテンツの再生頻度を算出する。
【００４３】
再生頻度記憶部２４４は、再生頻度算出部２４０により算出されたアプリケーションの使用内容ごとの再生頻度を記憶する。図４を参照して具体的に説明する。
【００４４】
図４は、アプリケーションの使用内容ごとの再生頻度の具体例を示した説明図である。図４に示した例では、電子メールアプリケーションの使用をトリガに記録されたコンテンツの再生頻度は「４５％」であり、電話アプリケーションの使用をトリガに記録されたコンテンツの再生頻度は「７２％」であり、ブラウジングアプリケーションの使用をトリガに記録されたコンテンツの再生頻度は「１２％」である。このような再生頻度を示す情報は、制御装置１０における記録処理の制御のために通信部２２４から制御装置１０に送信される。
【００４５】
＜１−３．制御装置の構成＞
以上、本実施形態による記録装置２０の構成を説明した。続いて、本実施形態による制御装置１０の構成を説明する。
【００４６】
図５は、第１の実施形態による制御装置１０の構成を示した機能ブロック図である。図５に示したように、本実施形態による制御装置１０は、通信部１２４と、嗜好情報記憶部１２８と、ユーザ情報記憶部１３２と、使用検出部１３６と、嗜好判定部１４０と、使用内容判定部１４４と、記録制御部１４８と、再生制御部１５２と、を備える。
【００４７】
（通信部）
通信部１２４は、制御システムを構成する他の装置とのインタフェースである。例えば、通信部１２４は、表示装置４０が出力しているコンテンツを示す情報を表示装置４０から受信し、通信端末３０におけるアプリケーションの使用状況を示す情報を通信端末３０から受信する。また、通信部１２４は、コンテンツの録画指示やコンテンツの再生指示を記録装置２０に送信する。
【００４８】
（嗜好情報記憶部）
嗜好情報記憶部１２８は、ユーザごとの嗜好情報を記憶する。例えば、嗜好情報記憶部１２８は、コンテンツに関し、ジャンルや俳優に関するユーザごとの嗜好を記憶する。なお、各ユーザの嗜好情報は、例えば過去のコンテンツの視聴履歴から取得することが可能である。また、この嗜好情報記憶部１２８は、不揮発性メモリ、磁気ディスク、光ディスク、およびＭＯディスクなどの記憶媒体であってもよい。また、図５においては嗜好情報記憶部１２８とユーザ情報記憶部１３２を別の機能ブロックで示しているが、嗜好情報記憶部１２８とユーザ情報記憶部１３２の機能は同一の記憶媒体により実現されてもよい。
【００４９】
（ユーザ情報記憶部）
ユーザ情報記憶部１３２は、ユーザ、通信端末３０および表示装置４０を関連付けて記憶する。ユーザ、通信端末３０および表示装置４０の関連付けについては図２を参照して「１−１．第１の実施形態の概要」において説明したので、ここでの詳細な説明を省略する。
【００５０】
（使用検出部）
使用検出部１３６は、通信部１２４が通信端末３０から受信する情報に基づき、通信端末３０におけるアプリケーションの使用を検出する。例えば、通信部１２４は、通信端末３０において使用されているアプリケーションを示す情報を受信し、使用検出部１３６は、この情報に基づいて通信端末３０における電話アプリケーションや電子メールアプリケーションなどの使用を検出する。
【００５１】
なお、アプリケーションの使用には、通信端末３０の受信処理に応じた使用、および通信端末３０の送信処理のための使用が含まれる。通信端末３０の受信処理に応じた使用には、例えば、他の通信端末からの着信に応じた通話の開始（電話アプリケーションの使用）、電子メールの受信に応じた受信メールの閲覧（電子メールアプリケーションの使用）、Ｗｅｂページの取得に応じたＷｅｂページの閲覧（ブラウジングアプリケーションの使用）などが含まれる。また、通信端末３０の送信処理のための使用には、他の通信端末に発信するための操作受付（電話アプリケーションの使用）、送信メールの作成（電子メールアプリケーションの使用）、および取得するＷｅｂページの指定（ブラウジングアプリケーションの使用）などが含まれる。
【００５２】
（嗜好判定部）
嗜好判定部１４０は、表示装置４０で出力されているコンテンツが、アプリケーションの使用が検出された通信端末３０のユーザの嗜好に合致しているか否かを、嗜好情報記憶部１２８に記憶されている当該ユーザの嗜好情報を参照して判定する。
【００５３】
（使用内容判定部）
使用内容判定部１４４は、使用検出部１３６により検出されたアプリケーションの使用内容が、表示装置４０で出力されているコンテンツに関連するか否かを判定する。例えば、使用内容判定部１４４は、ブラウジングアプリケーションの検索ワードとして指定されたキーワードや、電子メールアプリケーションで作成中の送信メールに含まれる単語が表示装置４０で出力されているコンテンツに関連するか否かを判定する。
【００５４】
（記録制御部）
記録制御部１４８は、記録装置２０によるコンテンツの記録処理、すなわち録画を制御する。例えば、記録制御部１４８は、使用検出部１３６による検出結果や、嗜好判定部１４０および使用内容判定部１４４の判定結果に基づき、表示装置４０で出力されているコンテンツの録画を記録装置２０に指示する。詳細については後述するが、記録制御部１４８は、使用検出部１３６による検出結果や、嗜好判定部１４０および使用内容判定部１４４の判定結果に基づき、ユーザが表示装置４０で出力されているコンテンツから注意が逸れていると推測される場合にコンテンツの録画を指示する。かかる構成により、ユーザが見逃している可能性のあるコンテンツを自動的に録画することができるので、ユーザは、コンテンツの見逃した部分を事後的に視聴することが可能となる。なお、記録制御部１４８は、ユーザの注意が表示装置４０に戻った時点でコンテンツの記録の中止を指示してもよいし、追いかけ再生のためにコンテンツの終了まで記録装置２０に記録を継続させてもよい。記録制御部１４８は、記録を中止するか継続するかを事前に設定された内容に従って決定してもよい。
【００５５】
（再生制御部）
再生制御部１５２は、記録装置２０が録画したコンテンツの再生処理を制御する。例えば、再生制御部１５２は、ユーザの注意が表示装置４０から逸れて上記の記録処理が開始された後、ユーザの注意が表示装置４０に戻った場合、例えば、アプリケーションの使用が終了した場合、記録処理において録画したコンテンツの追いかけ再生を記録装置２０に指示する。
【００５６】
ただし、表示装置４０でコンテンツを視聴する別のユーザが存在する場合、表示装置４０で追いかけ再生を開始すると別のユーザの視聴が妨げられる。このため、再生制御部１５２は、表示装置４０でコンテンツを視聴する別のユーザが存在するか否かに応じ、コンテンツを表示装置４０またはユーザの通信端末３０のいずれに出力させるかを決定する。「１−５．再生処理の制御動作」において具体的なフローを説明する。
【００５７】
＜１−４．記録処理の制御動作＞
以上、本実施形態による制御装置１０の構成を説明した。続いて、記録処理の制御動作を説明する。
【００５８】
（第１の制御例）
図６は、記録処理の第１の制御例を示したフローチャートである。図６に示したように、まず、使用検出部１３６により通信端末３０の使用開始が検出されると（Ｓ３０４）、記録制御部１４８は、通信部１２４を介して、通信端末３０と関連付けられた表示装置４０で出力されているコンテンツの録画を記録装置２０に指示する（Ｓ３０８）。
【００５９】
その後、通信端末３０の使用が終了すると（Ｓ３１２）、記録制御部１４８は、通信端末３０の使用時間が所定時間より長かったか否かを判定する（Ｓ３１６）。ここで、記録制御部１４８は、電子メールアプリケーションについては電子メールの送信終了、電話アプリケーションについては通話終了に基づいて通信端末３０の使用の終了を判定してもよい。また、記録制御部１４８は、通信端末３０が何かに置かれた姿勢が検出された場合に通信端末３０の使用が終了したと判定してもよい。
【００６０】
そして、通信端末３０の使用時間が所定時間（例えば、３分）以下であった場合（Ｓ３１６／ｎｏ）、ユーザの注意は表示装置４０から逸れていない可能性があるので、記録制御部１４８は、記録装置２０に録画データの削除を指示する（Ｓ３２０）。なお、表示装置４０の撮像部４２により得られる画像を顔認識し、ユーザの視線が表示装置４０に向いていたか否かを判断条件に加えることも可能である。
【００６１】
一方、通信端末３０の使用時間が所定時間を上回る場合（Ｓ３１６／ｙｅｓ）、ユーザの注意が表示装置４０から逸れた可能性があるので、記録制御部１４８は、録画データの保存、および使用ログの記録を記録装置２０に指示する（Ｓ３２４）。以下、図７を参照し、使用ログについて具体的に説明する。
【００６２】
−使用ログ
図７は、使用ログの具体例を示した説明図である。図７に示したように、使用ログは、コンテンツの出力中に検出された通信端末３０における使用内容および使用期間を示す。図７に示した使用ログは、表示装置４０がＤｉｇｉｔａｌ＿８ｃｈを出力している間に、ユーザＡの通信端末３０の電話アプリケーションが使用されたことを示す。
【００６３】
なお、この使用ログをユーザに視覚的に提示することも可能である。例えば、制御装置１０は、記録装置２０から使用ログを取得し、図８に示すように、表示装置４０または通信端末３０に通信端末３０の使用履歴をタイムライン上に表示させてもよい。かかる構成により、ユーザが通信端末３０の使用履歴を直感的に把握することが可能となる。
【００６４】
−補足
なお、図６においては、通信端末３０の使用が検出されると、使用が終了するまでコンテンツの録画が継続される例を説明したが、本実施形態はかかる例に限定されない。例えば、制御装置１０は、コンテンツの録画が開始された場合、図９に示すようにコンテンツの録画の実行を通知する画面を通信端末３０に表示させ、当該画面におけるユーザの操作入力に応じて録画処理を制御してもよい。具体的には、制御装置１０は、図９に示した画面においてユーザに「＃」を押された場合、録画の中止を記録装置２０に指示してもよい。かかる構成により、録画が行われていることをユーザに通知することが可能になると共に、ユーザの意思を録画制御に反映させることが可能となる。
【００６５】
（第２の制御例）
図１０は、記録処理の第２の制御例を示したフローチャートである。図１０に示したように、まず、使用検出部１３６により通信端末３０の使用開始が検出されると（Ｓ３５２）、使用内容判定部１４４が、使用検出部１３６により検出された通信端末３０の使用内容が、表示装置４０で出力されているコンテンツに関連するか否かを判定する（Ｓ３５６）。ここで、通信端末３０の使用内容とコンテンツに関連性が有ると判定された場合、ユーザはコンテンツの視聴を継続していると考えられるので、制御装置１０はコンテンツの録画を指示しない。
【００６６】
一方、使用内容判定部１４４は、通信端末３０の使用内容とコンテンツに関連性が無いと判定した場合、さらに、通信端末３０の使用内容に対応する再生頻度が閾値以上であるか否かを判定する（Ｓ３６０）。例えば、通信端末３０の使用内容が電話アプリケーションの使用であり、電話アプリケーションの使用に対応する再生頻度が図４に示したように「７２％」であり、閾値が５０％である場合、使用内容判定部１４４は、通信端末３０の使用内容に対応する再生頻度が閾値以上であると判定する。ここで、通信端末３０の使用内容に対応する再生頻度が閾値未満である場合、コンテンツを録画しても、録画されたコンテンツが再生される可能性が低いので、制御装置１０はコンテンツの録画を指示しない。
【００６７】
そして、通信端末３０の使用内容に対応する再生頻度が閾値以上である場合、嗜好判定部１４０は、表示装置４０で出力されているコンテンツが、通信端末３０のユーザの嗜好に合致しているか否かを判定する（Ｓ３６４）。ここで、コンテンツがユーザの嗜好に沿わない場合、コンテンツを録画しても、録画されたコンテンツが再生される可能性が低いので、制御装置１０はコンテンツの録画を指示しない。
【００６８】
一方、コンテンツがユーザの嗜好に合致する場合、記録制御部１４８は、表示装置４０で出力されているコンテンツの録画を記録装置２０に指示する（Ｓ３６８）。かかる構成により、ユーザの注意が表示装置４０から逸れ、かつ、録画されたコンテンツをユーザが事後的に再生する可能性が高いと考えられる場合に、表示装置４０で出力されているコンテンツを自動的に録画することが可能となる。
【００６９】
＜１−５．再生処理の制御動作＞
以上、本実施形態による記録処理の制御動作を説明した。続いて、図１１を参照し、再生処理の制御動作を説明する。
【００７０】
図１１は、再生処理の制御動作を示したフローチャートである。より詳細には、図１１は、「１−４．記録処理の制御動作」で説明したようにユーザＡの注意が表示装置４０から逸れてコンテンツの記録処理が開始された後、ユーザＡの注意が表示装置４０に戻った場合の制御動作を示している。
【００７１】
まず、再生制御部１５２は、ユーザＢが表示装置４０でコンテンツを視聴中であるか否かを判定する（Ｓ４０４）。再生制御部１５２は、この判定を多様な手法で行うことが可能である。例えば、使用検出部１３６によりユーザＢの通信端末３０の使用が検出された場合、ユーザＢの注意が表示装置４０から逸れていると考えられるので、再生制御部１５２は、ユーザＢは表示装置４０でコンテンツを視聴中でないと判定してもよい。ただし、ユーザＢが通信端末３０を使用していても、当該使用が表示装置４０で出力中のコンテンツと関連する場合、ユーザＢは表示装置４０でコンテンツを視聴中であると判定してもよい。また、再生制御部１５２は、ユーザＢの通信端末３０が制御装置１０を含むＬＡＮに含まれるか否かに基づいて上記判定を行ってもよい。また、再生制御部１５２は、他の不在検知技術や顔認識技術により上記判定を行うことも可能である。
【００７２】
そして、ユーザＢが表示装置４０でコンテンツを視聴中であると判定された場合（Ｓ４０４／ｙｅｓ）、再生制御部１５２は、ユーザＡの通信端末３０にコンテンツの再生確認画面として追いかけ再生の選択メッセージを表示させる（Ｓ４０８）。ここで、ユーザＡが追いかけ再生を選択した場合（Ｓ４１２）、再生制御部１５２は、記録装置２０で録画したコンテンツをユーザＡの通信端末３０に表示させる（Ｓ４１６）。例えば、再生制御部１５２は、記録装置２０から受信したコンテンツを通信端末３０に送信してもよいし、記録装置２０に通信端末３０へのコンテンツの送信を指示してもよい。
【００７３】
なお、再生制御部１５２は、ユーザＡの通信端末３０に追いかけ再生の選択メッセージを表示させずに、自動的にユーザＡの通信端末３０でのコンテンツの再生を開始してもよい。また、ユーザＢが表示装置４０でコンテンツを視聴中であると判定された場合であっても、ユーザＢの合意を確認できた場合、再生制御部１５２は表示装置４０でコンテンツの再生を開始してもよい。また、ユーザは、追いかけ再生の選択メッセージにおいて見始めたいチャプターを選択してもよい。また、ユーザは、追いかけ再生の選択メッセージにおいてコンテンツを再生する機器を選択してもよい。この場合、再生制御部１５２は、選択された機器の起動の検出後、当該機器にコンテンツの再生を開始させる。
【００７４】
また、追いかけ再生は、通常の再生速度であってもよいが、時間短縮再生であってもよい。時間短縮再生としては、ダイジェスト再生、ＣＭスキップ再生、早送り再生などが挙げられる。この時間短縮再生を行い、通信端末３０での再生位置が表示装置４０の再生位置に追いついた場合、通信端末３０は再生位置が追いついた旨を表示してもよい。かかる構成により、その後は複数のユーザが一緒に表示装置４０で再生されるコンテンツを視聴することが可能となる。また、通信端末３０は、ユーザにより通信端末３０が操作されている間にコンテンツを表示する場合、コンテンツを表示画面の一部に小画面で表示してもよい。
【００７５】
一方、ユーザＢが表示装置４０でコンテンツを視聴中でないと判定された場合（Ｓ４０４／ｎｏ）、再生制御部１５２は、表示装置４０に追いかけ再生の選択メッセージを表示させる（Ｓ４２０）。ここで、ユーザＡが追いかけ再生を選択した場合（Ｓ４２４）、再生制御部１５２は、記録装置２０で録画したコンテンツを表示装置４０に表示させる（Ｓ４２８）。例えば、再生制御部１５２は、記録装置２０から受信したコンテンツを表示装置４０に送信してもよいし、記録装置２０に表示装置４０へのコンテンツの送信を指示してもよい。
【００７６】
なお、再生制御部１５２は、表示装置４０に追いかけ再生の選択メッセージを表示させずに、自動的に表示装置４０でのコンテンツの再生を開始してもよい。また、ユーザは、追いかけ再生の選択メッセージにおいて見始めたいチャプターを選択してもよい。また、ユーザは、追いかけ再生の選択メッセージにおいてコンテンツを再生する機器を選択してもよい。この場合、再生制御部１５２は、選択された機器の起動の検出後、当該機器にコンテンツの再生を開始させる。また、追いかけ再生は、通常の再生速度であってもよいが、時間短縮再生であってもよい。また、表示装置４０は、コンテンツを表示画面の一部に小画面で表示してもよい。
【００７７】
＜＜２．第２の実施形態＞＞
以上、本開示の第１の実施形態を説明した。続いて、本開示の第２の実施形態を説明する。第１の実施形態では、通信端末３０の使用に応じてコンテンツを記録する例を説明したが、第２の実施形態では、通信端末３０の使用に応じてタイミングデータとして機能する使用ログを記録することができる。以下、このような第２の実施形態について説明する。
【００７８】
＜２−１．第２の実施形態の概要＞
図１２は、第２の実施形態による制御システムを示した説明図である。図１２に示したように、第２の実施形態による制御システムは、通信網１２と、通信端末３０と、表示装置４０と、制御サーバ５０と、ストリーミングサーバ６０と、を備える。通信端末３０、表示装置４０、制御サーバ５０、およびストリーミングサーバ６０は通信網１２を介して接続される。
【００７９】
なお、通信網１２は、通信網１２に接続されている装置から送信される情報の有線、または無線の伝送路である。例えば、通信網１２は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、通信網１２は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００８０】
通信端末３０は、１または２以上のアプリケーションを有し、アプリケーションに応じた通信を行う。表示装置４０は、映像や音声を含むコンテンツを出力するコンテンツ出力装置の一例であり、コンテンツの映像表示、およびコンテンツの音声出力などを行う。また、表示装置４０は、表示装置４０を視聴可能な範囲を撮像する撮像部４２を有する。このような通信端末３０および表示装置４０については第１の実施形態で説明した通りであるので、ここでの詳細な説明を省略する。
【００８１】
ストリーミングサーバ６０は、コンテンツを記憶しており、記憶しているコンテンツをストリーミング配信する。ストリーミングサーバ６０から配信されたコンテンツは、例えば表示装置４０により出力される。なお、ストリーミングサーバ６０は、通信端末３０、表示装置４０、または制御サーバ５０からの要求に応じて指定されたコンテンツのストリーミング配信を開始してもよい。
【００８２】
制御サーバ５０は、通信端末３０と表示装置４０の関連付けを行い、通信端末３０から得られる情報に基づいて、コンテンツに関する記録処理、および再生処理を制御する。通信端末３０と表示装置４０の関連付けについては第１の実施形態で説明した通りであるので、以下では、記録処理の制御、および再生処理の制御について簡単に説明する。なお、図１２においては制御サーバ５０を表示装置４０やストリーミングサーバ６０などと別個の装置として示しているが、表示装置４０やストリーミングサーバ６０などの他の装置に制御サーバ５０の機能の一部または全てを実装することも可能である。
【００８３】
（記録処理の制御）
第１の実施形態で説明したように、表示装置４０がコンテンツを出力している間、ユーザの注意が表示装置４０から逸れて、ユーザがコンテンツを見逃してしまう場合があり得る。例えば、ユーザが通信端末３０への着信に応じて電話アプリケーションを使用すると、ユーザは電話中に出力されたコンテンツを見逃してしまう場合がある。
【００８４】
このような観点から、制御サーバ５０は、表示装置４０に関連付けられた通信端末３０のアプリケーションの使用が検出されたタイミングに応じたタイミングデータを含む使用ログを記録する。例えば、制御サーバ５０は、通信端末３０のアプリケーションの使用開始が検出されたタイミング、およびアプリケーションの使用終了が検出されたタイミングを示す使用ログを記録する。かかる構成により、コンテンツ中でユーザが見逃した可能性のある部分を特定できるので、ユーザは、事後的にコンテンツの見逃した部分を視聴することが可能となる。なお、この記録処理の詳細については、「２−２．制御サーバの構成」において詳細に説明する。
【００８５】
（再生処理の制御）
制御サーバ５０は、ユーザの注意が表示装置４０から逸れて上記の記録処理が行われた後、ユーザの注意が表示装置４０に戻った場合、例えば、アプリケーションの使用が終了した場合、使用ログを記録したコンテンツの追いかけ再生をストリーミングサーバ６０に指示する。
【００８６】
ただし、表示装置４０でコンテンツを視聴する別のユーザが存在する場合、表示装置４０で追いかけ再生を開始すると別のユーザの視聴が妨げられる。このため、本実施形態による制御サーバ５０は、表示装置４０でコンテンツを視聴する別のユーザが存在するか否かに応じ、コンテンツを表示装置４０またはユーザの通信端末３０のいずれに出力させるかを決定する。なお、この再生処理の詳細については、「２−２．制御サーバの構成」および「２−３．制御システムの動作」において詳細に説明する。
【００８７】
＜２−２．制御サーバの構成＞
以上、第２の実施形態による制御システムの概要を説明した。続いて、第２の実施形態による制御システムに含まれる制御サーバ５０の構成を説明する。
【００８８】
図１３は、第２の実施形態による制御サーバ５０の構成を示した機能ブロック図である。図１３に示したように、本実施形態による制御サーバ５０は、通信部５２４と、嗜好情報記憶部１２８と、ユーザ情報記憶部１３２と、使用検出部１３６と、嗜好判定部１４０と、使用内容判定部１４４と、使用ログ記録部５４８と、使用ログ記憶部５５０と、再生制御部５５２と、を備える。なお、嗜好情報記憶部１２８、ユーザ情報記憶部１３２、使用検出部１３６、嗜好判定部１４０、および使用内容判定部１４４については第１の実施形態で説明した通りであるので、ここでの詳細な説明を省略する。
【００８９】
（通信部）
通信部５２４は、制御システムを構成する他の装置とのインタフェースである。例えば、通信部５２４は、表示装置４０が出力しているコンテンツを示す情報を表示装置４０またはストリーミングサーバ６０から受信し、通信端末３０におけるアプリケーションの使用状況を示す情報を通信端末３０から受信する。また、通信部５２４は、コンテンツの再生指示をストリーミングサーバ６０に送信する。
【００９０】
（使用ログ記録部）
使用ログ記録部５４８は、通信端末３０の使用履歴を示す使用ログを使用ログ記憶部５５０に記録する。例えば、使用ログ記録部５４８は、使用検出部１３６による検出結果や、嗜好判定部１４０および使用内容判定部１４４の判定結果に基づき、表示装置４０で出力されているコンテンツに関する使用ログを使用ログ記憶部５５０に記録する。より具体的に説明すると、使用ログ記録部５４８は、使用検出部１３６による検出結果や、嗜好判定部１４０および使用内容判定部１４４の判定結果に基づき、ユーザが表示装置４０で出力されているコンテンツから注意が逸れていると推測される場合に使用ログを使用ログ記憶部５５０に記録する。また、使用ログ記録部５４８は、ユーザが事後的に再生する可能性が高いと考えられるコンテンツが出力されている場合に使用ログを使用ログ記憶部５５０に記録してもよい。なお、ユーザが表示装置４０で出力されているコンテンツから注意が逸れているか否かの判定、および、ユーザが事後的にコンテンツを再生する可能性の判定については、「１−４．記録処理の制御動作」で説明した通りであるので、ここでの詳細な説明を省略する。
【００９１】
（使用ログ記憶部）
使用ログ記憶部５５０は、ユーザ、コンテンツ、および通信端末３０の使用ログを関連付けて記憶する。図１４を参照し、使用ログについて具体的に説明する。
【００９２】
図１４は、第２の実施形態による使用ログの具体例を示した説明図である。図１４に示したように、使用ログは、コンテンツの出力中に検出された通信端末３０における使用内容および使用期間を示す。図１４に示した使用ログは、表示装置４０がコンテンツ＃Ｘを出力している１４時０分０秒〜１４時５９分５０秒の間の１４時３５分４０秒〜１４時５５分１０秒に、ユーザＡの通信端末３０の電話アプリケーションが使用されたことを示す。この使用ログから、コンテンツ＃Ｘの再生開始位置から３５分４０秒〜５５分１０秒にユーザＡの注意が表示装置４０から逸れたと推測することができる。なお、図１４においてはタイミングデータを絶対時間で表現しているが、タイミングデータは、コンテンツの再生開始時刻を基準に表現されてもよい。
【００９３】
また、制御サーバ５０は、使用ログを記録した場合、図１５に示すように使用ログの記録の実行を通知する画面を通信端末３０に表示させ、当該画面におけるユーザの操作入力に応じて使用ログの管理を行ってもよい。具体的には、制御サーバ５０は、図１５に示した画面においてユーザに「＊」を押された場合、使用ログを消去してもよい。かかる構成により、使用ログの記録の実行をユーザに通知することが可能になると共に、ユーザの意思を使用ログの管理に反映させることが可能となる。
【００９４】
（再生制御部）
再生制御部５５２は、ストリーミングサーバ６０によるストリーミング配信を制御する。例えば、再生制御部５５２は、ユーザの注意が表示装置４０から逸れて通信端末３０の使用ログがコンテンツと関連付けて記録された後、ユーザの注意が表示装置４０に戻った場合、例えば、アプリケーションの使用が終了した場合、使用ログと関連付けられたコンテンツの追いかけ再生をストリーミングサーバ６０に指示する。
【００９５】
ただし、表示装置４０でコンテンツを視聴する別のユーザが存在する場合、表示装置４０で追いかけ再生を開始すると別のユーザの視聴が妨げられる。このため、再生制御部５５２は、表示装置４０でコンテンツを視聴する別のユーザが存在するか否かに応じ、コンテンツを表示装置４０またはユーザの通信端末３０のいずれに出力させるかを決定する。
【００９６】
＜２−３．制御システムの動作＞
以上、第２の実施形態による制御サーバ５０の構成を説明した。続いて、第２の実施形態による制御システムの再生に関する動作を説明する。
【００９７】
図１６は、第２の実施形態による制御システムの動作を示した説明図である。図１６に示したように、ユーザＡの通信端末３０におけるアプリケーションの使用が終了すると（Ｓ５０４）、通信端末３０は、制御サーバ５０にコンテンツの追いかけ再生を要求する（Ｓ５０８）。
【００９８】
続いて、制御サーバ５０の再生制御部５５２は、ユーザＢが表示装置４０でコンテンツを視聴中であるか否かを判定する（Ｓ５１２）。再生制御部５５２は、この判定を多様な手法で行うことが可能である。例えば、使用検出部１３６によりユーザＢの通信端末３０の使用が検出された場合、ユーザＢの注意が表示装置４０から逸れていると考えられるので、再生制御部１５２は、ユーザＢは表示装置４０でコンテンツを視聴中でないと判定してもよい。ただし、ユーザＢが通信端末３０を使用していても、当該使用が表示装置４０で出力中のコンテンツと関連する場合、ユーザＢは表示装置４０でコンテンツを視聴中であると判定してもよい。また、再生制御部５５２は、他の不在検知技術や顔認識技術により上記判定を行うことも可能である。
【００９９】
ここで、ユーザＢが表示装置４０でコンテンツを視聴中でないと判定された場合（Ｓ５１２／ｎｏ）、再生制御部５５２は、表示装置４０でのコンテンツの追いかけ再生をストリーミングサーバ６０に要求する（Ｓ５１６）。例えば、使用ログ記憶部５５０に図１４に示す使用ログが記憶されている場合、再生制御部５５２は、コンテンツ＃Ｘの３５分４０秒〜５５分１０秒のデータ部分の表示装置４０での追いかけ再生をストリーミングサーバ６０に要求する。
【０１００】
すると、ストリーミングサーバ６０は、制御サーバ５０の再生制御部５５２からの要求に従い、表示装置４０にコンテンツ＃Ｘの３５分４０秒〜５５分１０秒のデータ部分のストリーミング配信を開始し（Ｓ５２０）、表示装置４０がコンテンツ＃Ｘの再生を開始する（Ｓ５２４）。
【０１０１】
一方、ユーザＢが表示装置４０でコンテンツを視聴中であると判定された場合（Ｓ５１２／ｙｅｓ）、再生制御部５５２は、通信端末３０でのコンテンツの追いかけ再生をストリーミングサーバ６０に要求する（Ｓ５２８）。例えば、使用ログ記憶部５５０に図１４に示す使用ログが記憶されている場合、再生制御部５５２は、コンテンツ＃Ｘの３５分４０秒〜５５分１０秒のデータ部分の通信端末３０での追いかけ再生をストリーミングサーバ６０に要求する。
【０１０２】
すると、ストリーミングサーバ６０は、制御サーバ５０の再生制御部５５２からの要求に従い、表示装置４０にコンテンツ＃Ｘの３５分４０秒〜５５分１０秒のデータ部分のストリーミング配信を開始し（Ｓ５３２）、通信端末３０がコンテンツ＃Ｘの再生を開始する（Ｓ５３６）。
【０１０３】
なお、上記では通信端末３０の使用が終了すると通信端末３０が自動的に追いかけ再生を要求する例を説明したが、本実施形態はかかる例に限定されない。変形例として、図１７に示すように、通信端末３０は、追いかけ再生を行うか否かをユーザに確認するための追いかけ再生確認画面を表示し（Ｓ５０５）、追いかけ再生確認画面において追いかけ再生をユーザに指示された場合に制御サーバ５０に追いかけ再生を要求してもよい（Ｓ５０６、Ｓ５０８）。また、この追いかけ再生確認画面において、コンテンツを再生する機器を選択することも可能である。
【０１０４】
（補足）
上述した追いかけ再生は、通常の再生速度であってもよいが、時間短縮再生であってもよい。時間短縮再生としては、ダイジェスト再生、ＣＭスキップ再生などが挙げられる。以下、このような時間短縮再生を行う場合の動作例を説明する。なお、制御サーバ５０は、図１８に示すように、コンテンツ中のダイジェスト部分、およびＣＭ部分の位置を示す情報を記憶しているものとする。
【０１０５】
図１９は、時間短縮再生の動作例を示した説明図である。図１９に示したように、通信端末３０においてコンテンツ＃Ｘを再生しているときに、ユーザによりダイジェスト再生またはＣＭスキップ再生を指示された場合、通信端末３０は、制御サーバ５０にダイジェスト再生またはＣＭスキップ再生を要求する（Ｓ５４４）。
【０１０６】
制御サーバ５０は、上記要求を受けると、ダイジェスト部分、およびＣＭ部分の位置を示す情報を参照し、ダイジェスト部分の１区間、またはＣＭ間のコンテンツの一区間を第１ブロックとしてストリーミングサーバ６０にストリーミングを要求する（Ｓ５４８）。ストリーミングサーバ６０は、制御サーバ５０からの要求に応じてコンテンツの第１ブロックを通信端末３０に送信し（Ｓ５５２）、通信端末３０は、コンテンツの第１ブロックを再生する（Ｓ５５６）。
【０１０７】
その後、制御サーバ５０は、ダイジェスト部分の次の区間、または次のＣＭ間のコンテンツの一区間を第２ブロックとしてストリーミングサーバ６０にストリーミングを要求する（Ｓ５６０）。ストリーミングサーバ６０は、制御サーバ５０からの要求に応じてコンテンツの第２ブロックを通信端末３０に送信し（Ｓ５６４）、通信端末３０は、コンテンツの第２ブロックを再生する（Ｓ５６８）。以下、同様の処理が繰り返されることにより、ダイジェスト再生やＣＭスキップ再生などの時間短縮再生が実現される。
【０１０８】
＜＜３．むすび＞＞
以上説明したように、本開示の実施形態による制御装置１０および制御サーバ５０は、ユーザの注意が表示装置４０から逸れた場合や、録画されたコンテンツをユーザが事後的に再生する可能性が高いと考えられる場合に、コンテンツに関する記録処理を制御する。かかる構成により、ユーザは、コンテンツの見逃した部分を事後的に視聴することが可能となる。
【０１０９】
なお、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１１０】
例えば、本明細書の制御装置１０や制御サーバ５０の処理における各ステップは、必ずしもシーケンス図またはフローチャートとして記載された順序に沿って時系列に処理する必要はない。例えば、制御装置１０や制御サーバ５０の処理における各ステップは、フローチャートとして記載した順序と異なる順序で処理されても、並列的に処理されてもよい。
【０１１１】
また、制御装置１０および制御サーバ５０に内蔵されるＣＰＵ、ＲＯＭおよびＲＡＭなどのハードウェアを、上述した制御装置１０および制御サーバ５０の各構成と同等の機能を発揮させるためのコンピュータプログラムも作成可能である。また、該コンピュータプログラムを記憶させた記憶媒体も提供される。
【０１１２】
また、以下のような構成も本開示の技術的範囲に属する。
（１）
通信端末におけるアプリケーションの使用を検出する検出部と、
前記検出部による検出結果に応じて、前記通信端末と関連付けられたコンテンツ出力装置で出力されているコンテンツに関する記録処理を制御する制御部と、
を備える、制御装置。
（２）
前記コンテンツに関する記録処理は、前記検出部により前記アプリケーションの使用が検出されたタイミングに応じてタイミングデータを前記コンテンツに対応付ける処理を含む、前記（１）に記載の制御装置。
（３）
前記コンテンツに関する記録処理は、前記コンテンツの記録処理を含む、前記（１）に記載の制御装置。
（４）
前記検出部は、受信処理に応じた前記アプリケーションの使用を検出する、前記（１）〜（３）のいずれか一項に記載の制御装置。
（５）
前記検出部は、送信処理のための前記アプリケーションの使用を検出する、前記（１）〜（４）のいずれか一項に記載の制御装置。
（６）
前記アプリケーションは、音声通信アプリケーションを含む、前記（１）〜（５）のいずれか一項に記載の制御装置。
（７）
前記アプリケーションは、ブラウジングアプリケーションを含む、前記（１）〜（６）のいずれか一項に記載の制御装置。
（８）
前記制御部は、前記コンテンツに関する処理が実行された場合、前記コンテンツに関する処理の実行を示す通知を前記通信端末に表示させる、前記（１）〜（７）のいずれか一項に記載の制御装置。
（９）
前記制御部は、前記通知に基づくユーザの操作入力に応じて、前記コンテンツに関する記録処理を制御する、前記（８）に記載の制御装置。
（１０）
前記制御部は、前記検出部により前記アプリケーションの使用が検出された場合、前記アプリケーションの使用内容が前記コンテンツと関連性を有するか否かに応じて前記コンテンツに関する記録処理を制御する、前記（１）〜（９）のいずれか一項に記載の制御装置。
（１１）
前記制御部は、前記検出部により検出された前記アプリケーションについて、以前に当該アプリケーションの使用に基づいて記録処理が行われたコンテンツの再生頻度が閾値を上回る場合に前記コンテンツに関する記録処理を制御する、前記（１）〜（１０）のいずれか一項に記載の制御装置。
（１２）
前記制御部は、前記検出部により所定時間以上に渡る前記アプリケーションの使用が検出されたか否かに応じて前記コンテンツに関する記録処理を制御する、前記（１）〜（１１）のいずれか一項に記載の制御装置。
（１３）
前記コンテンツに関する記録処理は、前記検出部により検出された前記アプリケーションの使用内容を示す使用ログを前記コンテンツに対応付ける処理を含む、前記（１）〜（１２）のいずれか一項に記載の制御装置。
（１４）
前記制御部は、前記通信端末における前記アプリケーションの使用終了後、前記コンテンツ出力装置を使用する前記通信端末のユーザと異なる他のユーザの有無に基づき、前記通信端末または前記コンテンツ出力装置における前記コンテンツの再生を制御する、前記（１）〜（１３）のいずれか一項に記載の制御装置。
（１５）
前記制御部は、前記検出部により得られる前記他のユーザの通信端末における前記アプリケーションの使用の検出結果に基づいて前記コンテンツ出力装置を使用する他のユーザの有無を判定する、前記（１４）に記載の制御装置。
（１６）
前記制御部は、前記通信端末における前記アプリケーションの使用終了後、前記コンテンツ出力装置を使用する前記他のユーザの有無に基づき、前記コンテンツの再生確認画面を前記通信端末または前記コンテンツ出力装置に表示させる、前記（１４）または（１５）に記載の制御装置。
（１７）
前記制御部は、前記コンテンツ出力装置の視聴可能範囲の撮像画像から検出されるユーザの通信端末に関連付けられたコンテンツ出力装置を抽出し、前記検出部により検出された当該ユーザの通信端末における前記アプリケーションの使用に応じ、抽出されたコンテンツ出力装置で出力されているコンテンツに関する記録処理を制御する、前記（１）〜（１６）のいずれか一項に記載の制御装置。
（１８）
前記コンテンツに関する記録処理は、前記検出部により前記アプリケーションの使用が検出されたタイミングに応じてタイミングデータを前記コンテンツに対応付ける処理を含み、
前記制御部は、前記通知に基づくユーザの操作入力に応じて前記タイミングデータを削除する、前記（９）に記載の制御装置。
（１９）
前記コンテンツに関する記録処理は、前記コンテンツの記録処理を含み、
前記制御部は、前記通知に基づくユーザの操作入力に応じて前記記録処理を中止する、前記（９）に記載の制御装置。
（２０）
通信端末におけるアプリケーションの使用を検出することと、
前記アプリケーションの使用の検出結果に応じて、前記通信端末と関連付けられたコンテンツ出力装置で出力されているコンテンツに関する記録処理を制御することと、
を含む、制御方法。
（２１）
コンピュータを、
通信端末におけるアプリケーションの使用を検出する検出部と、
前記検出部による検出結果に応じて、前記通信端末と関連付けられたコンテンツ出力装置で出力されているコンテンツに関する処理を記録制御する制御部と、
として機能させるための、プログラム。
（２２）
通信端末と、
前記通信端末と関連付けられたコンテンツ出力装置と、
前記通信端末におけるアプリケーションの使用を検出する検出部、および、
前記検出部による検出結果に応じて、前記コンテンツ出力装置で出力されているコンテンツに関する記録処理を制御する制御部、を有する制御装置と、
を備える、制御システム。
【符号の説明】
【０１１３】
１０  制御装置
１２  通信網
２０  記録装置
３０  通信端末
４０  表示装置
４２  撮像部
５０  制御サーバ
６０  ストリーミングサーバ
１２４  通信部
１２８  嗜好情報記憶部
１３２  ユーザ情報記憶部
１３６  使用検出部
１４０  嗜好判定部
１４４  使用内容判定部
１４８  記録制御部
１５２  再生制御部
２２０  コンテンツ取得部
２２４  通信部
２２８  記録部
２３２  コンテンツ記憶部
２３６  再生部
２４０  再生頻度算出部
２４４  再生頻度記憶部
５２４  通信部
５４８  使用ログ記録部
５５０  使用ログ記憶部
５５２  再生制御部
【図１】
2013145936.tif 000003
【図２】
2013145936.tif 000004
【図３】
2013145936.tif 000005
【図４】
2013145936.tif 000006
【図５】
2013145936.tif 000007
【図６】
2013145936.tif 000008
【図７】
2013145936.tif 000009
【図８】
2013145936.tif 000010
【図９】
2013145936.tif 000011
【図１０】
2013145936.tif 000012
【図１１】
2013145936.tif 000013
【図１２】
2013145936.tif 000014
【図１３】
2013145936.tif 000015
【図１４】
2013145936.tif 000016
【図１５】
2013145936.tif 000017
【図１６】
2013145936.tif 000018
【図１７】
2013145936.tif 000019
【図１８】
2013145936.tif 000020
【図１９】
2013145936.tif 000021
【国際調査報告】
2013145936.tif 000022
2013145936.tif 000023
2013145936.tif 000024
2013145936.tif 000025